(57)【要約】【課題】１日の予定と複数日に亘っての予定とを一目で把握できる見易さと、ページ間に亘っての予定であっても記入し易い使い勝手の良さを兼ね備えたスケジュール用紙及び手帳を提供することを目的とする。【解決手段】スケジュール用紙１０に、複数日に亘っての予定等を記入する期間管理欄２０と、１日分の予定等を記入する１日管理欄４０とを設ける。スケジュール用紙１０は、用紙の折り畳み線５０にそって折られて手帳１００に綴じられる。これにより、１日の予定と複数日に亘っての予定を一目で把握することができ、ページ間に亘っての予定であっても記入し易く使い勝手のよい手帳を提供することができる。【選択図】  図２
2006346892.tif 000002
【特許請求の範囲】
【請求項１】
予定乃至結果を記入して管理するスケジュール用紙であって、
１枚の用紙の内に複数日に亘っての予定乃至結果を記入する期間管理欄と、
１日分の予定乃至結果を記入する１日管理欄とを備えたことを特徴とするスケジュール用紙。
【請求項２】
更に、日ごとの行動計画を記入し該行動計画を実行したか否かを確認可能な行動確認欄を備えたことを特徴とする請求項１記載のスケジュール用紙。
【請求項３】
前記期間管理欄は、週間単位として、時間軸を横方向にとり、
前記１日管理欄は、時間単位として、時間軸を縦方向にとることを特徴とする請求項１乃至２記載のスケジュール用紙。
【請求項４】
前記期間管理欄及び前記１日管理欄及び前記行動確認欄のうち少なくとも前記１日管理欄は、日付ごとに縦罫線で区切り、複数の横罫線で区切って区画化し、所定の区画を予定乃至結果により色分けしたことを特徴とする請求項１乃至３記載のスケジュール用紙。
【請求項５】
請求項１乃至４記載のスケジュール用紙を複数備えたことを特徴とする手帳。
【請求項６】
予定乃至結果を記入して管理するスケジュール用紙を複数備えた手帳であって、
スケジュール用紙に記入面が表となるように左右に折る折り畳み線を設け、
左ページに、横方向に時間軸をとり、週間の予定乃至結果を記入する期間管理欄と、
縦方向に時間軸をとり、１日分の予定乃至結果を記入する１日管理欄とを有し、
右ページに、左ページと連続する週間の期間管理欄及び１日管理欄を左ページと同一の構成で配置したスケジュール用紙を備え、
前記スケジュール用紙は、前記折り畳み線にそって折られて綴じられることを特徴とする手帳。
【請求項７】
予定乃至結果を記入して管理するスケジュール用紙を複数備えた手帳であって、
手帳に交互に綴じられる第１のスケジュール用紙及び第２のスケジュール用紙を備え、
前記第１のスケジュール用紙及び第２のスケジュール用紙に記入面が表となるように左右に折る折り畳み線を各々設け、
前記第１のスケジュール用紙は、前記折り畳み線にそって折られて綴じられ、
前記第２のスケジュール用紙は、前記第１のスケジュール用紙の内側に折り畳まれて綴じられることを特徴とする手帳。
【請求項８】
前記第１のスケジュール用紙及び前記第２のスケジュール用紙は、
左ページに、横方向に時間軸をとり、週間の予定乃至結果を記入する期間管理欄と、
縦方向に時間軸をとり、１日分の予定乃至結果を記入する１日管理欄とを備え、
右ページに、左ページと連続する週間の前記期間管理欄及び前記１日管理欄を左ページと同一の構成で配置し、
前記第２のスケジュール用紙の日付を、前記第１のスケジュール用紙の日付に対して後ろに週間分ずらしたことを特徴とする請求項７記載の手帳。
【発明の詳細な説明】
【技術分野】
【０００１】
本発明は、予定等を管理するためのスケジュール用紙及びスケジュール用紙を綴じる手帳に関する。
【背景技術】
【０００２】
一般に、予定等を管理するためのスケジュール用紙において、どのような記入欄を設けるか、あるいは見易さや使い勝手等を考慮して記入欄をどのように配置するかは重要な要素である。
【０００３】
従来、予定等を管理するためのスケジュール用紙においては、１ページを１日単位、１週間単位、１か月単位とするなど予定の期間の幅に応じた様々なタイプのものがある。このようなスケジュール用紙１ページの期間の単位は、１冊の手帳を通して同じであるか、あるいは１冊の手帳のなかに、例えば１日単位のスケジュール用紙と１週間単位のスケジュール用紙が別々の用紙として綴じられているかである。（例えば、特許文献１参照）
また、記入するスペースを広くして見易さを確保しつつ、まとまった期間の予定を一目で把握できる折り込み式の手帳が提案されている。（例えば、特許文献２参照）
【特許文献１】実用新案登録第３１０９２５３号公報
【特許文献２】実用新案登録第３１０４３０１号公報
【発明の開示】
【発明が解決しようとする課題】
【０００４】
上述した従来のスケジュール用紙では、１日の予定等と複数日に亘る中長期の予定等とを一目で把握し難いため、見落としが生じたりして予定等を効率的に管理することができないという問題がある。
【０００５】
また、上述した折り込み式の手帳では、記入スペースが広くなり見易くはなる。しかしながら、予定等を管理するうえで、ページ間に亘っての予定等を調整して記入する場合における工夫がなされておらず使い勝手は不十分であった。
【０００６】
本発明は以上の課題に鑑みてなされたもので、１日の予定等と複数日に亘っての予定等とを一目で把握できる見易さと、ページ間に亘っての予定等であっても調整して記入し易い使い勝手の良さを兼ね備えたスケジュール用紙及び手帳を提供することを目的とする。
【課題を解決するための手段】
【０００７】
上記目的を達成するため、本発明のスケジュール用紙では、１枚の用紙の内に複数日に亘っての予定乃至結果を記入する期間管理欄と、１日分の予定乃至結果を記入する１日管理欄とを備えたことを特徴としている。これにより、１日の予定と複数日に亘っての予定を一目で把握することができ、予定等の見落としを少なくすることができる。
【０００８】
更に、本発明のスケジュール用紙では、日ごとの行動計画を記入し該行動計画を実行したか否かを確認可能な行動確認欄を備えたことを特徴としている。これにより、行動確認欄を日ごとの行動計画の備忘欄として使用でき、確実に行動計画を実行したか否か確認することができる。
【０００９】
また、本発明のスケジュール用紙では、前記期間管理欄は、週間単位として、時間軸を横方向にとり、前記１日管理欄は、時間単位として、時間軸を縦方向にとることを特徴としている。これにより、期間管理欄の時間軸がページの進行方向と一致するので、ページ間に亘っての週をまたぐような予定であっても日程の流れが確認し易く予定等を調整し易い。
【００１０】
また、本発明のスケジュール用紙では、前記期間管理欄及び前記１日管理欄及び前記行動確認欄のうち少なくとも前記１日管理欄は、日付ごとに縦罫線で区切り、複数の横罫線で区切って区画化し、所定の区画を予定乃至結果により色分けしたことを特徴としている。これにより、予定等の占有時間や予定等の入っている時間及び空き時間を視覚的に一目で把握することできる。
【００１１】
また、本発明の手帳では、上記スケジュール用紙を備えたことを特徴としている。これにより、１日の予定等と複数日に亘っての予定等を一目で把握できる見易さを備えた手帳を提供することができる。
【００１２】
また、本発明の手帳では、スケジュール用紙に記入面が表となるように左右に折る折り畳み線を設け、左ページに、横方向に時間軸をとり、週間の予定乃至結果を記入する期間管理欄と、縦方向に時間軸をとり、１日分の予定乃至結果を記入する１日管理欄とを有し、右ページに、左ページと連続する週間の期間管理欄及び１日管理欄を左ページと同一の構成で配置したスケジュール用紙を備え、前記スケジュール用紙は、前記折り畳み線にそって折られて綴じられることを特徴としている。
【００１３】
これにより、何れの週間を基準の週間した場合であっても必ず基準の週間とその前週の予定等又は基準の週間とその翌週の予定等を一目で把握することができる。また、ページ間に亘っての週をまたぐような予定等であってもページをめくりながら記入する必要がないため、煩雑さが無く手帳の使い勝手を良くすることができる。
【００１４】
また、本発明の手帳では、手帳に交互に綴じられる第１のスケジュール用紙及び第２のスケジュール用紙を備え、前記第１のスケジュール用紙及び第２のスケジュール用紙に記入面が表となるように左右に折る折り畳み線を各々設け、前記第１のスケジュール用紙は、前記折り畳み線にそって折られて綴じられ、前記第２のスケジュール用紙は、前記第１のスケジュール用紙の内側に折り畳まれて綴じられることを特徴としている。これにより、第１のスケジュール用紙及び第２のスケジュール用紙を別々の用途で使用することができる。また、第２のスケジュール用紙は第１のスケジュール用紙の内側に折り畳まれて綴じられているため、第２のスケジュール用紙を隠した状態で手帳として使用することができる。
【００１５】
また、本発明の手帳では、前記第１のスケジュール用紙及び前記第２のスケジュール用紙は、左ページに、横方向に時間軸をとり週間の予定乃至結果を記入する期間管理欄と、縦方向に時間軸をとり１日分の予定乃至結果を記入する１日管理欄とを備え、右ページに、左ページと連続する週間の前記期間管理欄及び前記１日管理欄を左ページと同一の構成で配置し、前記第２のスケジュール用紙の日付を、前記第１のスケジュール用紙の日付に対して後ろに週間分ずらしたことを特徴としている。これにより、見開きの状態で第１のスケジュール用紙と第２のスケジュール用紙の同一週間の予定を一目で把握することができる。
【発明を実施するための最良の形態】
【００１６】
以下、本発明の実施形態について、図面を参照して説明する。なお、以下に説明する実施形態は特許請求の範囲にかかる発明を限定するものではなく、また、本実施形態の中で説明されている特徴の組み合わせの全てが発明の解決手段に必須であるとは限らない。
【００１７】
はじめに、第１の実施形態に係るスケジュール用紙１０について説明する。図１は、本発明の第１の実施形態に係るスケジュール用紙１０の１ページのフォーム及び記入例の一例を示す平面図である。
【００１８】
先ず、スケジュール用紙１０の上部の余白部分には、左から順に月曜日から日曜日までの１週間分の日付及び曜日が記載されている。
【００１９】
次に、記入欄は期間管理欄２０、行動確認欄３０及び１日管理欄４０から構成される。
各記入欄は、上から期間管理欄２０、行動確認欄３０及び１日管理欄４０の順に配置されている。期間管理欄２０は、数日から数週間程度の期間に亘っての予定を記入するための欄である。行動確認欄３０は、１日の行動の予定や用件を実行したか否かを確認するための欄である。１日管理欄４０は、１日分の予定を時間単位で記入するための欄である。
【００２０】
期間管理欄２０の欄内は、縦罫線により日付ごとに区分され、横罫線により複数の予定を記入できるように区分されている。そして、期間管理欄２０は、日付の記載方向である横方向に時間軸をとる。
【００２１】
ここで、第１の実施形態と同様に１ページに１週間分の予定を記入できるスケジュール用紙において、日付を上から順に記載して時間軸を縦方向にとった場合、１週間の日程の流れは縦方向に表される。そして、ページ間に亘っての週をまたぐような予定を確認する際にはページの進行方向である横方向に移動する。従って、週にまたがる予定の流れを確認し難い面があった。
【００２２】
一方、横方向に時間軸をとることにより、期間管理欄２０の時間軸がページの進行方向と一致する。従って、ページ間に亘っての週をまたぐような予定であっても予定の流れを確認し易い。
【００２３】
次に行動確認欄３０の欄内は、縦罫線により日付ごとに区分され、横罫線により行動計画ごとに区分されている。そして、縦罫線及び横罫線によって区画化された１ブロック内には、行動計画や用件等を記入するスペースと、その行動計画や用件等を実行したか否かを確認するための正方形状のチェック欄３１が設けられている。行動確認欄３０には、例えば、１日の予定の中で時間が決まってない作業、具体的には「〜へのＴＥＬ」等を空いている隙間時間にやれるようにリストアップしておくと有効である。これにより、時間を有効に活用することができる。また、行動確認欄３０は、行動すべき事柄を項目として記入しておくことで予定の備忘欄として使用することもできる。
【００２４】
次に、１日管理欄４０の欄内は、縦罫線により日付ごとに区分され、横罫線により１時間単位に区分されている。そして、１日管理欄４０は、縦方向に時間軸をとり、縦罫線及び横罫線によって区画化されブロックを構成している。１日の予定は、上から順に８時から２０時までのブロックで構成され、各ブロック内には何時であるかを示す時間が記載されている。このように、ブロックを構成しているため予定の占有時間を一目で把握することができる。尚、各ブロックの時間単位は１時間に限定されるものではなく、例えば２時間単位のものとしてもよい。
【００２５】
また、１日の予定のうち、例えば仕事以外の時間や休憩時間等のブロックを色分けして区別してある。これにより、一目で使用時間や空き時間を把握することができる。
【００２６】
このように、スケジュール用紙１０においては、日々の予定確認のなかで１日の予定と複数日に亘る予定とを一見で把握することができる。このため、相互の予定を反映させて予定を管理することができる。また、別の手帳や別のスケジュール用紙を照らし合わせて確認する必要はないので予定の見落としを少なくすることができる。
【００２７】
次に、図２乃至図４に基づいて第１の実施形態に係るスケジュール用紙１０を綴じた手帳１００について説明する。図２は、第１の実施形態に係るスケジュール用紙１０の１枚を示す平面図である。図３は、第１の実施形態に係るスケジュール用紙１０を綴じた手帳１００を示す斜視図である。図４は、図３に示す手帳１００の断面図である。
【００２８】
先ず、図２に示すように、第１の実施形態においては、１枚のスケジュール用紙１０に２週間分の予定の記入欄を設けている。スケジュール用紙１０の左端部には、６穴のバインダー孔６０が設けられている。そして、スケジュール用紙１０は、折り畳み線５０で記入欄が表になるように山折りされ、スケジュール用紙１０の左端部が手帳１００（図３参照）に綴じられる。尚、折り畳み線５０を中心とした左右各ページの期間管理欄２０、行動確認欄３０及び１日管理欄４０の構成は上述したとおりである。また、左ページと右ページの期間管理欄２０、行動確認欄３０及び１日管理欄４０の構成及び配置は同一である。
【００２９】
ここで、１ページに１週間分の予定を記入でき、折り畳み式ではないスケジュール用紙について説明する。通常、スケジュール用紙が手帳に綴じられて見開きの状態になった場合には、２週間分のスケジュールを見ることができる。つまり、見開きの２ページのうち、右ページを基準の週とした場合には、その前週分のスケジュールを並べて見ることできる。しかしながら、見開き２ページのうち左ページを基準の週とした場合には、その前週分のスケジュールは裏側の前ページとなる。従って、２週に１回は並べた状態で見ることができない週間があり、前週分のスケジュールを見ながら今週分のスケジュールに転記をしようとした場合などには、ページをめくりながら書くしかなく使い勝手の良いものではなかった。
【００３０】
一方、図３及び図４に示すように第１の実施形態においては、見開きの２ページは、別々の用紙上のページＢ、ページＣとなる。ここで、見開き左ページであるページＢを基準の週とした場合であっても、山折りした折り畳み線５０を広げることによって、ページＡ、ページＢを一目で把握することができ、ページをめくる必要もないためスケジュールを記入し易い。すなわち、第１の実施形態に係るスケジュール用紙１０を綴じた手帳１００においては、何れの週を基準の週とした場合であっても、基準の週とその前週とを又は基準の週とその翌週とを並べて見ることが出来る。これにより、複数日に亘っての連続した予定を見易くまた使い勝手もよいので予定の管理のし易い手帳を提供することができる。  また、ページＣ、ページＤの折り畳み線も広げることによって最大でページＢからページＤまでの３週間に亘っての予定を一目で把握することができる。
【００３１】
次に、図５に基づいて本発明の第２の実施形態について説明する。尚、上述した第１の実施形態と重複する構成については、同一番号を付し説明を省略する。
【００３２】
図５は、第１の実施形態に係るスケジュール用紙１０及び第２の実施形態に係るスケジュール用紙１１を綴じた手帳２００を示す斜視図である。
【００３３】
先ず、第２の実施形態に係るスケジュール用紙１１について説明する。第２の実施形態に係るスケジュール用紙１１は、第１実施形態におけるスケジュール用紙１０と用紙のサイズは同一のものである。また、期間管理欄２０、行動確認欄３０及び１日管理欄４０を設け、各記入欄の大きさ及び配置も同一としている。一方、スケジュール用紙１１は、スケジュール用紙１０に記載されている日付に対して後ろに１週間分ずらすようにして構成する。具体的には、図２に示したようにスケジュール用紙１０が３月３０日から４月１２日の２週間分の日付が記載されている場合においては、スケジュール用紙１１の日付は、後に１週間ずらして４月６日から４月１９日の２週間分の日付を記載する。また、各記入欄の囲い線や罫線の色を別の色として、別々のスケジュール用紙１０、１１であることを分かり易いようにしている。
【００３４】
続いて、スケジュール用紙１０、１１を綴じた手帳２００について説明する。図５に示すように第２の実施形態においては、スケジュール用紙１０、１１が交互に綴じられている。従って、それぞれのスケジュール用紙１０、１１を別々の用途に応じて使用することができる。例えば、スケジュール用紙１０を仕事用として使用し、スケジュール用紙１１をプライベート用として使い分けることができる。これにより、使用する用途ごとに別々の手帳を使い分ける必要がなく、１冊の手帳２００で予定を管理できるため煩雑さがなく管理を行い易くしている。
【００３５】
また、スケジュール用紙１０、１１は、それぞれの折り畳み線５０、５１で山折りされ、スケジュール用紙１１はスケジュール用紙１０の内側に折り畳まれた状態で綴じられる。従って、スケジュール用紙１１が折り畳まれた状態のまま、スケジュール用紙１０、１１の２枚を１組としてめくる場合には、スケジュール用紙１１を隠した状態で手帳２００を使用することができる。例えば、上述したようにスケジュール用紙１０を仕事用に、スケジュール用紙１１をプライベート用として用途別に使用している場合、プライベートの予定を不必要に他人に見せることなく使用することができる。また、スケジュール用紙１０、１１を別々に１枚ずつめくって使用することもできる。
【００３６】
ここで、スケジュール用紙１１の日付はスケジュール用紙１０の日付に対して後ろに１週間分ずれている。従って、別々のスケジュール用紙１０、１１で表示される左右見開きのページａ及びページｂには、同一週間の予定が表示される。これにより、１週間の予定を計画するうえで、用途別に使用しているスケジュール用紙１０、１１の予定を比較しながら予定を調整することができる。
【００３７】
以上のように、本実施形態のスケジュール用紙１０によれば、１枚の用紙の内に複数日に亘っての予定を記入する期間管理欄２０と、１日分の予定を記入する１日管理欄４０とを備えている。これにより、１日の予定と複数日に亘っての予定を一目で把握することができ、予定の見落としを少なくすることができる。
【００３８】
更に、スケジュール用紙１０には、日ごとの行動計画を記入し該行動計画を実行したか否かを確認可能な行動確認欄３０とを備えているので、日ごとの行動計画の備忘欄として使用でき、確実に行動計画を実行したか否かを確認することができる。
【００３９】
また、スケジュール用紙１０では、期間管理欄２０は、週間単位として、時間軸を横方向にとり、１日管理欄４０は、時間単位として、時間軸を縦方向にとるので、期間管理欄２０の時間軸がページの進行方向と一致し、ページ間に亘っての週をまたぐような予定であっても日程の流れが確認し易く予定を調整し易い。
【００４０】
また、スケジュール用紙１０は、期間管理欄２０及び１日管理欄４０及び行動確認欄３０のうち少なくとも１日管理欄４０は、日付ごとに縦罫線で区切り、複数の横罫線で区切って区画化し、所定の区画を予定により色分けしているので、予定の占有時間や予定が入っている時間及び空き時間を視覚的に一目で把握することできる。
【００４１】
また、本実施形態の手帳１００は、スケジュール用紙１０に記入面が表となるように左右に折る折り畳み線５０を設け、左ページに、横方向に時間軸をとり、週間の予定を記入する期間管理欄２０と、縦方向に時間軸をとり、１日分の予定を記入する１日管理欄４０とを有し、右ページに、左ページと連続する週間の期間管理欄２０及び１日管理欄４０を左ページと同一の構成で配置したスケジュール用紙１０を備え、折り畳み線５０にそって折られて綴じられる。
【００４２】
これにより、何れの週間を基準の週間した場合であっても必ず基準の週間とその前週の予定又は基準の週間とその翌週の予定を一目で把握することができる。また、ページ間に亘っての週をまたぐような予定であってもページをめくりながら記入する必要がないため、煩雑さが無く手帳の使い勝手を良くすることができる。
【００４３】
また、手帳２００は、手帳２００に交互に綴じられる第１のスケジュール用紙１０及び第２のスケジュール用紙１１を備え、第１のスケジュール用紙１０及び第２のスケジュール用紙１１に記入面が表となるように左右に折る折り畳み線５０、５１を各々設け、第１のスケジュール用紙１０は、折り畳み線５０にそって折られて綴じられ、第２のスケジュール用紙１１は、第１のスケジュール用紙１０の内側に折り畳まれて綴じられる。これにより、第１のスケジュール用紙１０及び第２のスケジュール用紙１１を別々の用途で使用することができる。また、第２のスケジュール用紙１１は第１のスケジュール用紙１０の内側に折り畳まれて綴じられているため、第２のスケジュール用紙１１を隠した状態で手帳２００として使用することができる。
【００４４】
また、手帳２００は、第１のスケジュール用紙１０及び第２のスケジュール用紙１１は、左ページに、横方向に時間軸をとり週間の予定を記入する期間管理欄２０と、縦方向に時間軸をとり１日分の予定を記入する１日管理欄４０とを備え、右ページに、左ページと連続する週間の期間管理欄２０及び１日管理欄４０を左ページと同一の構成で配置し、第２のスケジュール用紙１１の日付を、第１のスケジュール用紙１０の日付に対して後ろに週間分ずらしたことを特徴としている。これにより、見開きの状態で第１のスケジュール用紙１０と第２のスケジュール用紙１１の同一週間の予定を一目で把握することができる。また、例えば、用途別に使用しているスケジュール用紙１０、１１の予定を比較しながら予定を調整でき管理し易い。
【００４５】
なお、本発明の範囲は上述した実施形態の限られず、特許請求の範囲の記載に反しない限り、他の様々な実施形態に適用可能である。例えば、上記の実施形態では、予定を管理する手帳を例に挙げているが、特にこれに限定される必要はなく、週間カレンダー等にも適用可能である。
【００４６】
また、上記実施形態では、予定を記入する場合について説明したが、特にこれに限定される必要はなく過去の出来事等を記入するような日記等に適用しても良い。
【００４７】
また、上記実施形態では、スケジュール用紙の１ページを１週間単位としたが、手帳のサイズや記入スペース等を考慮して任意に変更することが可能である。
【産業上の利用可能性】
【００４８】
予定等を管理するために使用する用紙及び手帳であれば、日記、カレンダー、工程表等であっても適用可能である。
【図面の簡単な説明】
【００４９】
【図１】本発明の第１の実施形態に係るスケジュール用紙の１ページのフォーム及び記入例の一例を示す平面図である。
【図２】第１の実施形態に係るスケジュール用紙の１枚を示す平面図である。
【図３】第１の実施形態に係るスケジュール用紙を綴じた手帳を示す斜視図である。
【図４】図３に示す手帳の断面図である。
【図５】第１の実施形態に係るスケジュール用紙及び第２の実施形態に係るスケジュール用紙を綴じた手帳を示す斜視図である。
【符号の説明】
【００５０】
１０  スケジュール用紙、１１  スケジュール用紙、２０  期間管理欄、３０  行動確認欄、３１  チェック欄、４０  １日管理欄、５０  折り畳み線、５１  折り畳み線、６０  バインダー孔、１００  手帳、２００  手帳
【図１】
2006346892.tif 000003
【図２】
2006346892.tif 000004
【図３】
2006346892.tif 000005
【図４】
2006346892.tif 000006
【図５】
2006346892.tif 000007